(57)【要約】フック／ループ式締着システムのフック構成要素及びループ構成要素の内の一方の構成要素から成る外面的に呈示された表面を含む壁体（２）を備える身体的相互作用手段。また、フック／ループ式締着システムのフック構成要素及びループ構成要素の内の一方の構成要素を含む外面を備えた少なくとも一個の手袋（５）も提供されて、当該手袋（５）を装着した個人により前記壁体（２）の表面に選択的かつ解離可能に結合可能とされることで手を固定化しまた反作用様態により前記壁体（２）により対抗される作用力を前記個人が付与することを可能にする。
2005519681.tif 000002
【特許請求の範囲】
【請求項１】
壁体を形成する手段と、少なくとも一個の手袋とを具備する身体的相互作用手段であって、
前記壁体を形成する手段が、フック／ループ式締着システムのフック構成要素及びループ構成要素の内の一方の構成要素から成る外面的に呈示された表面を含むものであり、
前記少なくとも一個の手袋が、当該手袋を装着し得る個人によって、壁体を形成する前記手段の前記表面に対して選択的かつ解離可能に結合可能であるように前記フック／ループ式締着システムのフック構成要素及びループ構成要素の内の他方の構成要素を含む外面を備えるものである、身体的相互作用手段。
【請求項２】
二個の、前記少なくとも一個の手袋が、前記個人の夫々の手に一個ずつ配備される、請求項１に記載の身体的相互作用手段。
【請求項３】
少なくとも一個の履き物要素が配備される、請求項１又は２に記載の身体的相互作用手段であって、
前記少なくとも一個の履き物要素が、当該履き物要素を装着し得る個人によって、壁体を形成する前記手段の前記表面に対して選択的かつ解離可能に結合可能であるように前記フック／ループ式締着システムのフック構成要素及びループ構成要素の内の他方の構成要素を含む外面を備える、身体的相互作用手段。
【請求項４】
二個の、前記少なくとも一個の履き物要素が、前記個人の夫々の足に一個ずつ配備される、請求項３に記載の身体的相互作用手段。
【請求項５】
壁体を形成する前記手段の前記表面が鉛直線に対して傾斜した平坦領域を含み、且つ、前記表面に対する法線が上方向の成分を含む、請求項１から４のいずれか一項に記載の身体的相互作用手段。
【請求項６】
フック／ループ式締着システムのフック構成要素及びループ構成要素の内の一方の構成要素から成る床部表面を含む床部を形成する手段が配備される、請求項１から５のいずれか一項に記載の身体的相互作用手段であって、
さらに、前記フック構成要素及びループ構成要素の内の一方の構成要素が、壁体を形成する前記手段の前記表面の構成要素と同じであり、
前記床部表面は、前記個人が前記壁体の表面及び該床部表面に対して同時に係合可能であるように、壁体を形成する前記手段の前記表面の近傍に配備される、身体的相互作用手段。
【請求項７】
壁体を形成する前記手段及び前記床部を形成する前記手段が相互に隣接する、請求項６に記載の身体的相互作用手段。
【請求項８】
壁体を形成する前記手段及び前記床部を形成する前記手段が、前記フック構成要素及びループ構成要素の内の一方の構成要素から成り相互に隣接する夫々の表面を有する、請求項７に記載の身体的相互作用手段。
【請求項９】
壁体を形成する前記手段の前記表面の近傍の前記床部表面が水平線に対して傾斜され、前記床部表面に対する法線が前記壁体を形成する前記手段の隣接する前記表面から離れる方向で延びる成分を有する、請求項６から８のいずれか一項に記載の身体的相互作用手段。
【請求項１０】
前記壁体を形成する前記手段は、フック／ループ式締着システムのフック構成要素及びループ構成要素の内の前記一方の構成要素が係合された壁体パネルから成る壁体ユニットであり、前記壁体パネルが、支持構造体に対して係合されることによって、ユニットとして永続的固定構造体によって支持される、請求項１から１０のいずれか一項に記載の身体的相互作用手段。
【請求項１１】
前記床部を形成する前記手段が、フック／ループ式締着システムのフック構成要素及びループ構成要素の内の前記一方の構成要素が係合された床部パネルから成る床部ユニットであり、前記床部パネルが、支持構造体に対して係合されることによって、ユニットとして永続的固定構造体によって支持される、請求項６から１０のいずれか一項に記載の身体的相互作用手段。
【請求項１２】
前記壁体を形成する前記手段の前記表面が、該表面と相互作用を行う前記個人を該表面の近傍にて支持するところの隣接する地面支持表面から少なくとも１．５ｍの高さまで延在する、請求項１から１１のいずれか一項に記載の身体的相互作用手段。
【請求項１３】
前記壁体を形成する前記手段から呈示される前記表面が、前記床部を形成する前記手段に対して少なくとも１．５ｍの高さまで延在する、請求項６から１２のいずれか一項に記載の身体的相互作用手段。
【請求項１４】
前記床部表面が、前記壁体を形成する前記手段に対し、該手段から離れる方向で少なくとも１．０ｍの距離まで延在する、請求項６から１３のいずれか一項に記載の身体的相互作用手段。
【請求項１５】
前記個人が身体運動を行うことを可能にする目的で提供される、請求項１から１４のいずれか一項に記載の身体的相互作用手段。
【請求項１６】
前記個人が身体の筋肉ストレッチを行うことを可能にする目的で提供される、請求項１から１４のいずれか一項に記載の身体的相互作用手段。
【請求項１７】
前記個人が骨格再整列力を受けることを可能にする目的で提供される、請求項１から１４のいずれか一項に記載の身体的相互作用手段。
【請求項１８】
多目的の身体的相互作用手段である請求項１から１４のいずれか一項に記載の身体的相互作用手段であって、該多目的の身体的相互作用手段を使って前記個人が身体運動及び身体ストレッチ及び骨格再整列の内の少なくとも二つを実施し得る、身体的相互作用手段。
【請求項１９】
床部表面を改変もしくは特徴設定する手段と、
壁体表面を改変もしくは特徴設定する手段と、を具備するか又は含む運動用装置であって、
一方は前記床部及び壁体の表面から呈示され且つ他方は運動者により装着されるという相補的結合手段同士を解離可能に係合させるべく、近接する床部及び壁体領域が改変もしくは特徴設定されることを可能にする、運動用装置。
【請求項２０】
前記壁体表面と前記床部表面との間の前記関係は、それらの間の角度が鈍角であるようになっている、請求項１９に記載の運動用装置。
【請求項２１】
前記角度が９３°から１１０°である、請求項２０に記載の運動用装置。
【請求項２２】
前記解離可能な係合が、非接着性であり、且つ好適には相互係合可能／分離可能な形態の係合である、請求項１９に記載の運動用装置。
【請求項２３】
相補的なフック／ループ式締着手段の対の内の他方を受容するために、当該壁体表面の少なくとも一つの領域から相補的なフック／ループ式締着手段の対の内の一方を呈示するようにされた壁体表面を具備するか又は含む、運動用のサイト又は場所であって、
前記相補的なフック／ループ式締着手段の対の内の他方が、個人の少なくとも一つの肢の外端で個人により装着されて、前記壁体表面の前記少なくとも一つの領域に対して解離可能で選択的な係合を行い得るものである、運動用のサイト又は場所。
【請求項２４】
相補的なフック／ループ式締着手段の対の内の他方を受容するために、当該床部表面の少なくとも一つの領域から相補的なフック／ループ式締着手段の対の内の一方を呈示するようにされた床部表面が、前記壁体表面の近傍に配備される、運動用のサイト又は場所であって、
前記相補的なフック／ループ式締着手段の対の内の他方が、個人の少なくとも一つの肢の外端で個人により装着されて、前記床部表面の前記少なくとも一つの領域に対して解離可能で選択的な係合を行い得るものである、運動用のサイト又は場所。
【請求項２５】
請求項２４に記載の運動用のサイト又は場所と、
一個以上の履き物及び一個以上の手袋の内の任意の一つ以上に対して配備された相補的結合手段であって、前記床部表面及び／又は前記壁体表面に対して解離可能に係合可能な相補的結合手段と、の組合せ体。
【請求項２６】
フック／ループ式締着システムのフック構成要素及びループ構成要素の内の一方の構成要素から成る反作用表面に対して係合する目的で個人により装着されるフック／ループ式締着システムのフック構成要素及びループ構成要素の内の他方の構成要素の表面であって個人が当該手袋を介して作用力を付与することを可能にする他方の構成要素の表面を当該手袋の各々が含む、小売用パッケージとしての一対の手袋。
【請求項２７】
フック／ループ式締着システムのフック構成要素及びループ構成要素の内の一方の構成要素から成る反作用表面に対して係合する目的で個人により装着されるフック／ループ式締着システムのフック構成要素及びループ構成要素の内の他方の構成要素の表面であって個人が当該ブーツを介して作用力を付与することを可能にする他方の構成要素の表面を当該ブーツの各々が含む、小売用パッケージとしての一対のブーツ。
【請求項２８】
フック／ループ式締着システムのフック構成要素及びループ構成要素の内の一方の構成要素の表面を各々が含む一対の手袋であって、個人により装着されたとき、固定的壁体構造体上に配備されたフック／ループ式締着システムのフック構成要素及びループ構成要素の内の他方の構成要素と係合される、一対の手袋。
【請求項２９】
フック／ループ式締着システムのフック構成要素及びループ構成要素の内の一方の構成要素の表面を各々が含む一対のブーツであって、個人により装着されたとき、固定的壁体構造体上に配備されたフック／ループ式締着システムのフック構成要素及びループ構成要素の内の他方の構成要素と係合される一対のブーツ。
【請求項３０】
当該個人の身体ストレッチ／運動の目的で手袋及び履き物の少なくとも一方が装着される個人の身体の一部を少なくとも一つの反作用表面に係合することにより該少なくとも一つの反作用表面に対して個人の身体的相互作用を行う方法であって、
前記個人が複数の場所及び配向で、前記個人が前記反作用表面に対する係合と該反作用表面からの解離に対する抵抗を選択的に可能にするように、前記反作用表面はその上に配設されたフック／ループ式締着システムのフック構成要素及びループ構成要素の内の一方の構成要素を有し、且つ、前記手袋及び履き物の前記少なくとも一方はフック／ループ式締着システムのフック構成要素及びループ構成要素の内の他方の構成要素を呈示しており、前記手袋及び履き物の前記少なくとも一方が、そこに対して前記個人により付与された力に対する反作用を提供する、身体的相互作用を行う方法。
【請求項３１】
前記手袋及び履き物の前記少なくとも一方との間の係合の抵抗が、前記手袋及び履き物の前記少なくとも一方が係合される前記反作用表面に平行な方向で付与された力に対するものである、請求項３０に記載の方法。
【請求項３２】
請求項１から１８のいずれか一項に記載の相互作用手段の、運動用デバイスとしての使使用方法。
【発明の詳細な説明】
【技術分野】
【０００１】
本発明は、身体的相互作用手段及びその関連使用方法に関する。特に、しかし限定的なものとしてでなく本発明は、身体の運動及び／又はストレッチ用の手段に関する。
【背景技術】
【０００２】
運動を行う多数のデバイスが一般的に利用可能である。斯かるデバイスは多くの形態で提供されると共に、夫々、ユーザが特定の単一群もしくは複数群の筋肉の運動を行い得る様に設計される。しかし斯かるデバイスの多くは、運動の間において筋肉負傷が発生する可能性を減少するために準備運動ストレッチを行う設備をユーザに提供するものではない。個人は、例えば壁体に対して寄り掛かり脹ら脛の筋肉又は脚の他の筋肉に圧力を付与して斯かる筋肉群をストレッチすることで、用具を使わずに斯かるストレッチを行い得るが、助力なしのストレッチは、個人が十分な圧力を筋肉群に与えることを可能にしない。またストレッチに助力がないと個人は一定の身体姿勢を取れず、結果として、特定の筋肉群をストレッチし得ない。一定の筋肉群を効果的にストレッチするために各個人は、斯かる筋肉群のストレッチを補助すべくペアを組むことが多いことはよく知られている。補助者は、ストレッチ実施者の身体の各部分を区別して扱い、該身体の一定部分を支持し、又は、該身体の一定部分を固定化することでストレッチ実施者を助力し、ストレッチ実施者が所望のストレッチ成果を達成することを可能にする。しかし、斯かる種類の一定の筋肉群のストレッチを意図する人が、ストレッチを助力する他の人を利用できるとは限らない。同様に、一定の運動を行うためには、力を付与することができるユーザの身体の静止点を提供するように、ユーザの身体の所定の部分を固定化することが望ましい。腹筋運動が一例であり、その場合には個人の脚が固定化されることが望ましい。腕立て伏せは別の例であり、その場合には手及び脚の両方が固定化される。
【０００３】
ランニング及び他の一定の独立的運動は別として、多くの個人は機械装置を利用する運動を好む。
【０００４】
機械装置は目標筋肉を区別して扱うことから、新たな又は異なる技法を試す上で更に安全に使用され得る。更に、機械装置は制御及び安定性を提供すると共に、必要とされる連携及び技能も少ない。
【０００５】
機械装置を使用することの不都合は、それが多様性を提供しないことである、と言うのも、一つの機械装置は一つの目的に対してのみ使用可能であることから暫くすると退屈になるためである。別の問題は、機械装置は多くの場合に平均的な人に対して設計されることから、非常に背が高い人又は非常に背が低い人が使用すると違和感を感じることがある。
【０００６】
一方、ダンベル又はバーベルなどのフリーウェイトは、身体が、実生活の動きを更に正確にシミュレートする更に“自然な”様態を取ることを可能にする。これには、個人が、安定筋を適切に用いるのと共に正しい身体配列を用いることを助長する。フリーウェイトはまた、更に多くの変化も提供すると共に、異なる筋肉群を対象にすべく多くの異なる様態で使用される。
【０００７】
フリーウェイトによる運動は通常、殆どの運動者に対して適切であるが、多くの場合に初心者は、彼等が適切な形態及び技法を使用することを保証するために多くの指導を必要とする。必要な技量をもたない個人は、不正確にトレーニングを行うことで深刻な負傷を蒙ることがある。フリーウェイトによるトレーニングはまた、非常に時間を取るプロセスでもある。
【０００８】
更に、スポーツによる筋肉負傷を受けた人は多くの場合、その負傷の対処的処置又は治療のために理学療法士を訪れる。斯かる処置を実施するには、修復を必要とする筋肉にアクセスすべく負傷に対処するために人の助力を必要とする。
【０００９】
負傷の対処を助力する人の補助がなければ、負傷を受けた人が治療的作業に必要な一切のストレッチ及び／又は運動を実施することは困難となる。
【００１０】
ストレッチ及び運動に加え、個人は治療的骨格整列処置を必要とすることもある。斯かる処置を提供する特定装置は存在するが、本発明者が知る限り、簡素な形態であるデバイス、又は、他の人を投入したりその相当の補助を受けることなくストレッチ及び運動の両方ならびに治療的骨格整列を可能にするデバイスは存在しない。
【発明の開示】
【発明が解決しようとする課題】
【００１１】
故に本発明の目的は、他者の補助なしで個人により利用され得る、運動、ストレッチ及び／又は治療的骨格整列のための手段を提供すること、又は、少なくとも有用な選択肢を一般に対して提供することである。
【００１２】
一切の補助なしでのストレッチよりも多くの筋肉群をストレッチするために個人により利用可能なストレッチ装置を提供すること、又は、少なくとも有用な選択肢を一般に対して提供することも本発明の目的である。
【００１３】
上述の問題の幾つかを克服することを助ける運動用装置とその使用方法とを提供すること、又は、少なくとも有用な選択肢を一般に対して提供することも本発明の目的である。
【課題を解決するための手段】
【００１４】
故に本発明の第１の態様において、本発明は、壁体を形成する手段と、少なくとも一個の手袋とを具備する身体的相互作用手段にあり、
前記壁体を形成する手段が、フック／ループ式締着システムのフック構成要素及びループ構成要素の内の一方の構成要素から成る外面的に呈示された表面を含むものであり、
前記少なくとも一個の手袋が、当該手袋を装着し得る個人によって、壁体を形成する前記手段の前記表面に対して選択的かつ解離可能に結合可能であるように前記フック／ループ式締着システムのフック構成要素及びループ構成要素の内の他方の構成要素を含む外面を備えるものである。
【００１５】
好適には、二個の前記少なくとも一個の手袋は、前記個人の夫々の手に一個ずつ配備される。
【００１６】
好適には、少なくとも一個の履き物要素が、当該履き物要素を装着し得る個人によって、壁体を形成する前記手段の前記表面に対して選択的かつ解離可能に結合可能であるように前記フック／ループ式締着システムのフック構成要素及びループ構成要素の内の他方の構成要素を含む外面を備える。
【００１７】
好適には、二個の前記少なくとも一個の履き物要素は、前記個人の夫々の足に一個ずつ配備される。
【００１８】
好適には、壁体を形成する前記手段の前記表面は鉛直線に対して傾斜した平坦領域を含み、且つ、前記表面に対する法線は上方向の成分を含む。
【００１９】
好適には、フック／ループ式締着システムのフック構成要素及びループ構成要素の内の一方の構成要素の床部表面を含む床部を形成する手段が配備され、
さらに、前記フック構成要素及びループ構成要素の内の一方の構成要素が、壁体を形成する前記手段の前記表面の構成要素と同じであり、
前記床部表面は、前記個人が前記壁体の表面及び該床部表面に対して同時に係合可能であるように、壁体を形成する前記手段の前記表面の近傍に配備される。
【００２０】
好適には、壁体を形成する前記手段及び前記床部を形成する前記手段は相互に隣接する。
【００２１】
好適には、壁体を形成する前記手段及び前記床部を形成する前記手段は、前記フック構成要素及びループ構成要素の内の一方の構成要素の、相互に隣接する夫々の表面を有する。
【００２２】
好適には、壁体を形成する前記手段の前記表面の近傍の前記床部表面は水平線に対して傾斜され、前記床部表面に対する法線は前記壁体を形成する前記手段の隣接する前記表面から離れる方向に延びる成分を有する。
【００２３】
好適には、前記壁体を形成する前記手段は、フック／ループ式締着システムのフック構成要素及びループ構成要素の内の前記一方の構成要素が係合された壁体パネルから成る壁体ユニットであり、前記壁体パネルは、支持構造体に対して係合されることによって、ユニットとして永続的固定構造体によって支持される。
【００２４】
好適には、前記床部を形成する前記手段は、フック／ループ式締着システムのフック構成要素及びループ構成要素の内の前記一方の構成要素が係合された床部パネルから成る床部ユニットであり、前記床部パネルは支持構造体に対して係合されることによってユニットとして永続的固定構造体によって支持される。
【００２５】
好適には、前記壁体を形成する前記手段の前記表面は、該表面と相互作用を行う前記個人を該表面の近傍にて支持するところの隣接する地面支持表面から少なくとも１．５ｍの高さまで延在する。
【００２６】
好適には、前記壁体を形成する前記手段から呈示される前記表面は、前記床部を形成する前記手段から少なくとも１．５ｍの高さまで延在する。
【００２７】
好適には、前記床部表面は、前記壁体を形成する前記手段に対し、該手段から離れる方向で少なくとも１．０ｍの距離まで延在する。
【００２８】
好適には、前記相互作用デバイスは、前記個人が身体運動を行うことを可能にする目的に対するものである。
【００２９】
好適には、前記相互作用デバイスは、前記個人が身体の筋肉ストレッチを行うことを可能にする目的で提供される。
【００３０】
好適には、前記相互作用デバイスは、前記個人が骨格再整列力を受けることを可能にする目的で提供される。
【００３１】
好適には、前記相互作用デバイスは、それを使って前記個人が身体運動及び身体ストレッチ及び骨格再整列の内の少なくとも二つを実施し得る多目的の身体的相互作用手段である。
【００３２】
第２の態様において本発明は、
床部表面を改変もしくは特徴設定する手段と、
壁体表面を改変もしくは特徴設定する手段と、を具備するか又は含む運動用装置であって、
一方が前記床部及び壁体の表面から呈示され且つ他方が運動者によって装着されるという相補的結合手段同士を解離可能に係合させるように、近接する床部及び壁体領域が改変もしくは特徴設定されることを可能にする、運動用装置に存する。
【００３３】
好適には、前記壁体表面と前記床部表面との間の前記関係は、それらの間の角度が鈍角であるようになっている。
【００３４】
好適には、前記角度は９３°から１１０°である。
【００３５】
好適には、前記解離可能な係合は非接着性であり且つ好適には相互係合可能／分離可能な形態である。
【００３６】
更なる態様において本発明は、
相補的なフック／ループ式締着手段の対の内の他方を受容するために、当該壁体表面の少なくとも一つの領域から相補的なフック／ループ式締着手段の対の内の一方を呈示するようにされた壁体表面を具備するか又は含む、運動用のサイト又は場所であって、
前記相補的なフック／ループ式締着手段の対の内の他方は、個人の少なくとも一つの肢の外端で個人により装着されて、前記壁体表面の前記少なくとも一つの領域に対して解離可能で選択的な係合を行い得るものである、運動用のサイト又は場所に存する。
【００３７】
好適には、相補的なフック／ループ式締着手段の対の内の他方を受容するために、当該床部表面の少なくとも一つの領域から相補的なフック／ループ式締着手段の対の内の一方を呈示するようにされた床部表面が、前記壁体表面の近傍に配備され、前記相補的なフック／ループ式締着手段の対の内の他方は、個人の少なくとも一つの肢の外端で個人により装着されて、前記床部表面の前記少なくとも一つの領域に対して解離可能で選択的な係合を行い得るものである。
【００３８】
更なる態様において本発明は、
前記の運動用のサイト又は場所と、
一個以上の履き物及び一個以上の手袋の内の任意の一つ以上に対して配備され、前記床部床部表面及び／又は前記壁体表面に対して解離可能に係合可能であるそのような相補的結合手段と、の組合せ体に存する。
【００３９】
更なる態様において本発明は、
フック／ループ式締着システムのフック構成要素及びループ構成要素の内の一方の構成要素から成る反作用表面に対して係合する目的で個人により装着されるフック／ループ式締着システムのフック構成要素及びループ構成要素の内の他方の構成要素の表面であって個人が当該手袋を介して作用力を付与することを可能にする他方の構成要素の表面を当該手袋の各々が含む、小売用パッケージとしての一対の手袋に存する。
【００４０】
更なる態様において本発明は、
フック／ループ式締着システムのフック構成要素及びループ構成要素の内の一方の構成要素から成る反作用表面に対して係合する目的で個人により装着されるフック／ループ式締着システムのフック構成要素及びループ構成要素の内の他方の構成要素の表面であって個人が当該ブーツを介して作用力を付与することを可能にする他方の構成要素の表面を当該ブーツの各々が含む、小売用パッケージとしての一対のブーツに存する。
【００４１】
更なる態様において本発明は、
フック／ループ式締着システムのフック構成要素及びループ構成要素の内の一方の構成要素の表面を各々が含む一対の手袋であって、個人により装着されたとき、固定的壁体構造体上に配備されたフック／ループ式締着システムのフック構成要素及びループ構成要素の内の他方の構成要素と係合される一対の手袋に存する。
【００４２】
更なる態様において本発明は、
フック／ループ式締着システムのフック構成要素及びループ構成要素の内の一方の構成要素の表面を各々が含む一対のブーツであって、個人により装着されたとき、固定的壁体構造体上に配備されたフック／ループ式締着システムのフック構成要素及びループ構成要素の内の他方の構成要素と係合される一対のブーツに存する。
【００４３】
更なる態様において本発明は、
当該個人の身体ストレッチ／運動の目的で手袋及び履き物の少なくとも一方が装着される個人の身体の一部を少なくとも一つの反作用表面に係合することにより該少なくとも一つの反作用表面に対して個人の身体的相互作用を行う方法であって、
前記個人が複数の場所及び配向で、前記個人が前記反作用表面に対する係合と該反作用表面からの解離に対する抵抗を選択的に可能にするように、前記反作用表面はその上に配設されたフック／ループ式締着システムのフック構成要素及びループ構成要素の内の一方の構成要素を有し、且つ、前記手袋及び履き物の前記少なくとも一方はフック／ループ式締着システムのフック構成要素及びループ構成要素の内の他方の構成要素を呈示しており、前記手袋及び履き物の前記少なくとも一方が、そこに対して前記個人により付与された力に対する反作用を提供する、身体的相互作用を行う方法に存する。
【００４４】
好適には、前記手袋及び履き物の前記少なくとも一方との間の係合の抵抗は、前記手袋及び履き物の前記少なくとも一方が係合される前記反作用表面に平行な方向において付与された力に対するものである。
【００４５】
本発明はまた広範囲には、個別にもしくは集合的に本出願の明細書中で言及されもしくは示された部材、要素及び特徴、ならびに、任意の二つ以上の前記部材、要素もしくは特徴の任意のもしくは全ての組み合わせに存するとも表現可能であり、且つ、本明細書中で特定の完全体が本発明の関連技術分野において公知の均等物を有すると述べられた場合には、斯かる公知の均等物は個別に示されたかのように本明細書中に援用されたものと見做される。
【００４６】
次に、例示的に添付図面を参照して本発明を説明する。
【発明を実施するための最良の形態】
【００４７】
相互作用手段は少なくとも一つの反作用表面を含むが、該反作用表面は、建築物の固定構造体であり又は斯かる構造体に対して固定されもしくはそれにより支持される。ユーザの身体により反作用表面に対して作用力を付与すべくユーザにより装着される手袋及び／又はブーツを使用することで、ユーザは反作用表面からの反作用を受ける。最も好適な形態において反作用表面は、両方ともにユーザにより同時に係合され得る様に相互に隣接して位置された壁体表面２及び床部表面３の両方を含む。各反作用表面は、少なくとも部分的に及び好適には全体的に、フック／ループ式締着システムの一方の構成要素により覆われる。フック／ループ式締着システムの他方の構成要素は、以下において言及が為される手袋及びブーツにより担持される。床部表面は平坦であり、且つ、好適には壁体表面も平坦であるが、他の形状のものでもよい。
【００４８】
最も好適な形態では、反作用表面は、フック／ループ式締着システムのループ形態により覆われる。ループ形態は感触がより柔かいことから、個人の皮膚が前記表面と接触しても個人はそれほどの擦り傷を受けない。フック／ループ式締着システムのループ構成要素は感触がそれほど柔かくないことはよく知られている。
【００４９】
最も好適な形態では、反作用表面はフック／ループ式締着手段の構成要素により全体的に覆われ、且つ、被覆の領域は、個人が反作用表面上における前記構成要素に対して依然として接触したまま反作用表面の近傍で多くの異なる姿勢を取り得るに十分なものである。
【００５０】
例えば壁体表面は、周囲の地面から約２．４ｍの高さのものであり得る。これは、平均的個人が壁体表面２の近傍に立ち、伸びて壁体表面２の上側境界１１を越えることなく上方にストレッチ可能にするのに十分な高さである。最も好適には前記高さは少なくとも１．５ｍであるが、更に高位とすればより多くの姿勢を取ることが可能になる。（図２を参照すると）壁体区画２の（方向Ｂにおける）幅もまた、本発明のユーザが伸びて境界を越えることなく多様な姿勢を取り得るに十分である。例えば好適形態において前記壁体は、平坦であると共に、個人が該壁体の近傍に立ち、両手の指の先端が伸びて壁体表面２の境界を越えることなく両方の腕を外方に広げることを可能にするのに十分な幅である。
【００５１】
反作用表面の幅の広がりは図２に示され、そこでは四個の隣接区画が示される。
【００５２】
反作用表面の（方向Ｂにおける）幅は、複数のユーザが同時使用すべく前記表面上に又はその近傍に立つことを可能にするように十分である。
【００５３】
反作用表面が、建築物の既存の構造体に対して事後設置可能であることが好適である。例えば反作用表面は、フック／ループ式締着システムのループ構成要素が（接着などにより）固着される単一もしくは複数の表面を有するユニットを形成する合板により作製された構造体の一部である。その場合、作製された合板構造体は、建築物の固定的壁体及び／又は床部構造体に対してボルト締めされ又は別な方法で固着され得る。反作用表面が搬送可能とされるべき場合には斯かる固着が一時的であることも想起されるが、反作用表面は確実に固定されたままであることが重要である。隣接する各ユニットは、ボルトもしくはネジなどの留め具により相互に固定され得る。フック／ループ式締着手段のループ構成要素により合板表面を広範囲に覆うことにより、多様な配置の姿勢がシステムのユーザにより取られ得る。
【００５４】
床部及び壁体表面の両方を配備することにより、個人は、本発明の反作用表面により全ての肢に対する支持を受けることができる。
【００５５】
しかしながら、本発明の相互作用手段の反作用表面を提供する目的で、（例えば図１０に示された如き）壁体表面２のみの配備が想起される。斯かる壁体は個人が立ち得る近傍の地面から（例えば１．５ｍより高い）十分な高さまで延在することで、壁体の近傍に立つ個人は、壁体表面２に対する該個人の手及び／又は足の係合を含む多様な範囲の姿勢を取り得る。固定構造体は、建築物の壁体もしくは床部であってよい。
【００５６】
しかしながら壁体表面と床部表面とを組み合わせれば、更に融通性のある反作用表面の配置が提供される。
【００５７】
壁体表面及び床部表面の両方が、好都合な格納及び搬送を可能にするために、相互から着脱可能とされるように、反作用表面が折畳み可能な形態で提供されることが想起される。実際、壁体及び床部の表面ユニットは、それ自体が更に多数の部分へと折畳み可能であり得る。各壁体ユニットは例えば、好都合な格納及び／又は搬送の目的で二個以上の構成要素へと分解可能である。また床部表面も同様のことを行うことが可能である。本発明は家庭状況で利用されることが想起されるが、その場合には格納及び組立ての利便性が重要な要因である。
【００５８】
本相互作用手段は、システムのユーザにより装着されるべき外部装着物を包含する。最も好適な形態においてユーザは、少なくとも一個の手袋及び好適には少なくとも一個のブーツも装着する。好適にはユーザは二個の手袋及び二個のブーツを装着する。手袋は、例えば図５及び図６に示される。手袋はフィンガレスもしくはフィンガ付きの種類（及び、好適さは少ないが可能的には二股手袋の種類）のものであるが、その主要目的は個人の手に対して確実に固定され続けることである。フック／ループ式締着システムの内で反作用表面（２、３）上に配備された構成要素とは別の構成要素を配備することで、手袋は反作用表面に対して固着され得る。手袋はフック構成要素により全体的に覆われるか、又は、散布パターンが適用される。例えば、（床部３であれ壁体２であれ）反作用表面と接触し易い手袋の箇所において該手袋の本体２０に対して、フック構成要素の細長片もしくはパネル９が縫い付けられる。そのような領域は、指、及び、手のひら側ならびに手の他方側の同様の表面を含む。手袋は、手首の回りに該手袋を締め付ける目的で手首用ストラップ２１を含んでよい。ぴったりした嵌装が達成されるように、ユーザの手のサイズに適したサイズの手袋が選択されることが重要である。個人が手袋を介して反作用表面に圧力を付与するとき、手袋が手に対してそれほど移動しないことが重要である。
【００５９】
図７から図９を参照すると、本発明のユーザにより装着され得るブーツが示される。該ブーツはユーザの足に履かれると共に、該ブーツの外側表面上には、フック／ループ式締着システムの構成要素の領域が配設される。再び最も好適には、且つ、反作用表面２、３は前記システムのループ構成要素を備えることから、ブーツはフック／ループ式締着システムのフック構成要素を備える。ブーツは、足裏だけでなく該ブーツの上側表面にもフック構成要素の細長片を含み得る。斯かる細長片もしくはパネル８は、ブーツを（壁体表面２であれ床部表面３であれ）反作用表面上に固定可能にする。
【００６０】
手及び足の両方がデバイスの壁体表面２に接触して固着されるように、本発明のユーザによる姿勢は手及び足の両方により決定される。本発明の反作用表面として壁体表面のみが配備されてもよい。しかしながら融通性を増大するために、床部表面３も配備される。斯かる場合においてユーザは、片方もしくは両方の足を床部表面に係合すると共に両方もしくは片方の手を壁体表面に係合するか、又は、その逆もしくは種々の組み合わせを行う。
【００６１】
壁体表面２と個人の連携を促進するために、壁体表面は好適には鉛直線に対して傾斜される。該傾斜は、前記表面の法線（Ｎ）が上方向の成分を有する如きである。鉛直線に対して壁体表面２が成す結果的な角度Ｘは、０°より大きく且つ例えば３０°未満である。壁体表面の近傍にて壁体表面の基底１０に、もしくはその近くに足を置いて立つ個人は、身体を表面２と接触させるために自身の概略的な直立方向に対して中心を傾斜する必要がある。故に壁体に臨む個人は、前方に寄り掛かる必要がある。背中を壁体に向けている個人は、前記表面に接触するために後方に傾く必要がある。故に、この壁体表面２の角度付けにより、該壁体に向けて寄り掛かる心理的な傾向と身体的な傾向との両方が促進される。他の全ての事柄が等しいとすると、例えば壁体表面２に対して両手が係合された個人は、水平な法線もしくは下方成分を有する法線を壁体が有した場合（すなわち張り出している壁体）よりも、係合状態を持続して該壁体に対する係合もしくは連携の感触を有する傾向が強い。故に、壁体は鉛直線に対して０°より大きい角度を有すると共にその表面の法線は上方に向けられた成分を有することが望ましい。壁体表面２は、該壁体表面に対する手袋の係合により（例えば子供などの）個人を吊り下げるべく利用されることも想起される。記述されたような様態で傾斜する壁体を有することにより、重力の結果として個人の身体は壁体に向けて付勢されて係合の感触が与えられる。しかしながら、壁体が張り出しており、又は、純粋に鉛直な壁体の場合にはそうではない。
【００６２】
本発明が床部表面３である反作用表面も含む場合、斯かる表面は水平線に対して傾斜していることが好適である。最も好適な形態において該傾斜は、壁体表面２と床部表面３との間の交点４から下方に向かう。水平線に対して床部表面が成す角度Ｙは、好適には０°より大きく、また例えば３０°未満である。床部表面３は水平線に対する傾斜面である必要はないが、そうであれば好適である、と言うのも、その場合に床部表面３上に立つ個人は壁体２の近傍にて直立状態を維持すべく自身の姿勢を調節する必要があるからである。例えば壁体表面２に臨む個人は、床部表面３上にて足が平坦とされて立つ場合には前方に寄り掛かる必要がある。直立を維持する上で斯かる前方傾斜は、付加的に個人を壁体表面２に寄り掛からせ又は該壁体表面に向けて移動させ、安全性の感触を引き起こす傾向を促進する。これにより、個人が壁体表面２に対して接触することが促進される。当該壁体及び床部の表面に対して個人が同時に接触し得る壁体及び床部は、好適には、鉛直面である同一平面内に存する法線であって夫々の表面に対する法線を有する。
【００６３】
床部表面は、ユニットの一部として提供されるのと同様に、例えば合板材料から作製される。図１に示されたように側部から見たとき、壁体表面及び床部表面２、３は両者ともに壁体ユニット及び床部ユニットの一部として提供される。壁体ユニット及び床部ユニットは、好適には、相互に隣接され得る独立的な要素である。壁体及び床部ユニットが相互に接触しないという代替的構成が該ユニットに対して採用されることが想起される。例えば壁体ユニットは床部ユニットの上方に上昇され得ると共に、それらの間には間隙が配備され得る。故に、壁体ユニット及び床部ユニットの間に交点４は無くても良い。床部表面は、好適には、壁体表面から外方に少なくとも１ｍは延在する。好適にはこの距離は、１ｍから２．４ｍである。
【００６４】
更に、最も好適な形態において壁体表面２及び好適には床部表面３はほぼ平坦であるが、それらの表面は全体的に平坦である必要はない。実際、それらの表面は該表面を貫通する開孔を含むことがあり、特に壁体表面２は個人の手もしくは足の保持の更なる補助を提供すべく開孔を含み得る。前記表面はまた、所定位置に配備された直立部も含むことがあり、前記直立部は、ユーザが一定の姿勢を取るのを可能にすることを補助すべく適合作成されたものである。
【００６５】
代替的に壁体表面は、鉛直方向及び水平方向の両方にて湾曲されることがある。例えば壁体表面は、鉛直支柱により提供されてもよい。
【００６６】
最も好適な形態において、使用されるフック／ループ式締着システムは３Ｍ社により提供されてＣＳ１２００（登録商標）フックと称された製品である。３Ｍ社の該製品は、前記システムの二つの構成要素間に高い剪断強度を提供するが、引張力下においては好適な取り外しを許容する。表１は、３Ｍ社の現在のウェブ・サイト上で３Ｍ社により公表された該製品の性能仕様を示している。
【００６７】
【表１】
2005519681.tif 000003
【００６８】
結果として、例えば手袋又はブーツと反作用表面２、３との間における剪断方向の保持力は、引張力と比較したときに極めて大きい。故に、個人は前記各表面に対してほぼ直交する力により該表面から手及び足を引き剥がすことが都合がよいが、反作用表面に対する手袋及びブーツの摺動に対しては大きな抵抗がある。故に、本発明を利用する個人は、自身の筋肉に対してそれほどの応力を生ずることなく比較的容易に前記表面上を動き回ることが可能である。しかしながら、ユーザにより剪断力が付与されたとき、手袋及び／又はブーツは所定位置に堅固に留まる。これにより、負傷の可能性が減少される。故に作用力は、剪断方向において前記反作用表面に付与され得る。一般的にベルコア（VELCRO（登録商標））と称されるオリジナルのフック／ループ式締着システムが使用される。同一様態で機能する最新式の変形例は、発明の一部を形成すると見做されるべきである。ベルコアのループ構成要素は、合板もしくは類似物の裏打ちパネルに対するパネルとして適用される。
【００６９】
本発明は、幾つかの異なる目的に対して利用され得る。本発明は、個人によって付与される作用力のための反作用表面を用いる相互作用手段もしくはシステムと広範囲に称されたが、本発明は、個人の筋肉のストレッチ、個人の筋肉の運動、及び、治療的骨格整列の目的に対する用途が在る。本発明の主要目的は、個人が身体運動を行うに先立ち又はその後に自身の筋肉をストレッチすることを可能にすることである。
【００７０】
図１１〜図１８を参照すると、筋肉に対してストレッチ力を提供するために個人が取ることができる異なる姿勢が示される。図１１〜図１８に示された種々の姿勢によりストレッチされる異なる筋肉群を簡単に示す上述の図面の簡単な説明を参照されたい。本発明の単一もしくは複数の反作用表面は、手袋及び／又はブーツを装着している個人により運動が実施され得るような様態でも係合され得る。例示された姿勢の多くは、個人が運動を行うことも可能にする。運動技術における熟練者であれば、腹筋運動、腕立て伏せ及び膝屈伸などの運動が実施可能であることは理解されるはずであるが、その場合に例えば個人の足又は手は、斯かる運動を行う目的で前記単一（もしくは複数）の反作用表面に対して好適に静止的に保持され得る。手袋及び／又はブーツを装着している手及び／又は足を前記反作用表面に対して載置し得る結果として、個人が、運動及び／又はストレッチを行う目的で斯かる運動を行い且つ／又は一定の筋肉群を区別して扱うのに適切な姿勢を取ることを可能にするために、そのような手及び／又は足は静止的に保持可能である。これは、他者の助力なしで達成可能である。
【００７１】
本発明が治療的骨格整列の目的に対して利用され得ることも本発明者によって想起される。一例として個人は、夫々の手に手袋を装着して頭上にて両手を壁体表面２に載置すると共に、両手が手袋により下方に且つ表面２に対して実効的に且つ実質的に吊り下げられる姿勢を取ることが可能である。身体の重量の相当部分は前記手袋を介して壁体表面に伝達されることが可能であり、そのことにより、個人の脊柱は自然に延伸された方向を取ることが可能になり、また脊柱が自然に整列することが促進される。その場合に療法士は、所望される様に身体を操作もし得る。故に、本発明は患者の治療のために、理学療法の専門家だけでなく脊柱指圧療法及び整骨療法の専門家によっても利用され得ることが想起される。
【００７２】
本発明を用いれば、筋肉の動作範囲の全体に亙り身体自体の質量により、細かく制御された“同心的”及び“偏心的”な荷重が筋肉組織に対してプラスされた“アイソメトリック”／抵抗運動及び抵抗ストレッチを提供することが可能である。
【００７３】
これにより、筋肉の全長に対して受動的及び能動的なストレッチ及び筋肉トレーニングが提供される、と言うのも、フリーウェイト・トレーニングにおけるリスクである負傷の可能性を低減するために、機械装置と異なり最大負荷点が、身体質量を僅かに移動させることにより及び他の筋肉の支援により容易に調節できるからである。
【００７４】
付加的には、主な利点は、前記デバイスがユーザの位置変更なしで運動及びストレッチを許容し得ることである。
【００７５】
アイソメトリック運動とは、抵抗対象物に対して力が付与される運動である。一例は煉瓦壁に対する押圧であり、筋肉に緊張力は蓄積されるが実際の動きはない。アイソメトリック運動に関する幾つかの点は以下の如くである：
・筋力を高めるには、任意の一つの運動において一つの姿勢を６から８秒間維持する必要がある。
・運動は５から１０分間反復されるべきである。
・任意の一つのアイソメトリック運動は、一つの関節角度においてのみ筋力を高める。他の関節位置を強化するには、対応する運動の更なる反復が必要である。
・アイソメトリック運動自体は、筋力トレーニングに対して推奨されない。それは、完全な運動プログラムの一部にすぎない。
【００７６】
個人が所定物を撓曲させもしくはそれに対して力を付与している限りにおいて、個人はアイソメトリック運動に関与している。アイソメトリック運動に関して重要な点は、それが任意の場所及び任意の時点で実施可能なことであり、本発明を使用すれば個人が、更に多くの身体姿勢を取り得ること及び斯かる運動の目的に対する力のレベルの調節度合いを高めることが可能になる。
【００７７】
本発明は、建築物内における空間に殆どもしくは全く入り込まずに使用され得る。それは、壁体に対して及び床部上に好都合に取付け可能である。それはまた、体育館において並びにストレス解消目的でオフィス環境でも利用可能であると共に、ＯＯＳ／ＲＳＩ（職業性過使用症候群／反復運動過多損傷）関連の疾患からの回復を助力する。理学療法診療所は本発明により利益を享受し得る、と言うのも本発明は、診療所の患者が広範囲な動作を選択することを可能にするからである。
【００７８】
手及び足を区別して扱うことにより、個人は当該組織を更に厳しく働かせてから、その組織を一気に解放／弛緩することが可能である。本発明はストレッチ手段及び運動手段として機能できるので、トレーニング・ルーチンを完了してから、位置変更せずに又は姿勢の調節さえもせずにストレッチを追随させることが可能である。
【００７９】
係合壁体及び床部を形成すべく大きな領域にベルコアを配備することで、広告に関する本発明の別の利点を実現できる。前記表面上には、商標名が印刷／生成可能である。ベルコアは、商標名もしくはロゴを呈示する様態で、例えばパターン切断されて裏打ちパネルに付けられることが可能である。
【００８０】
本明細書中で使用された“床部”は構造的な床部に限定されるべきでなく、また、“壁体”は（フレーム的であれパネル張りされたものであれ）他の直立支持体を包含し得る。本明細書中で使用される“相補的結合手段”及び該手段に関する使用方法は好適には、運動者が解離可能な係合を介して筋肉又は運動者自身を操作することを可能とすべく、前記床部もしくは壁体の表面に対する結合を可能にする手段である。
【図面の簡単な説明】
【００８１】
【図１】図１は、壁体及び床部反作用表面である、相互作用手段の固定構造体の側面図である。
【図２】図２は、図１の斜視図である。
【図３】図３は、図１の前面図である。
【図４】図４は、図１の平面図である。
【図５】図５は、図１の反作用表面と共に使用されるべくユーザにより装着される左手用手袋の平面図である。
【図６】図６は、右手用手袋の底面図である。
【図７】図７は、図１の反作用表面と共に使用されるブーツ又はシューズなどの履き物の斜視図である。
【図８】図８は、図７のブーツの背面図である。
【図９】図９は、図７のブーツの底面図である。
【図１０】図１０は、壁体反作用表面を提供する手段が結合された永続的固定建築構造体の断面図である。
【図１１】図１１は、膝屈曲筋に圧力を付与する目的で相互作用手段を使用している個人を示す図である。
【図１２】図１２は、大腿四頭筋に圧力を付与する目的で相互作用手段を使用している個人を示す図である。
【図１３】図１３は、腓腹筋、ヒラメ筋及びアキレス腱に圧力を付与する目的で相互作用手段を使用している個人を示す図である。
【図１４】図１４は、臀筋に圧力を付与する目的で相互作用手段を使用している個人を示す図である。
【図１５】図１５は、指の屈筋、二頭筋、胸筋、腹直筋、大腿四頭筋及び腰筋に圧力を付与する目的で相互作用手段を使用している個人を示す図である。
【図１６】図１６は、二頭筋に圧力を付与する目的で相互作用手段を使用している個人を示す図である。
【図１７】図１７は、胸筋及び指の屈筋に圧力を付与する目的で相互作用手段を使用している個人を示す図である。
【図１８】図１８は、指の屈筋に圧力を付与する目的で相互作用手段を使用している個人を示す図である。
【図１９】図１９は、複数の人が回りに位置され得るステーションとして提供された複数の反作用表面が存在する代替的な配置構成を示す図である。
【図１】
2005519681.tif 000004
【図２】
2005519681.tif 000005
【図３】
2005519681.tif 000006
【図４】
2005519681.tif 000007
【図５】
2005519681.tif 000008
【図６】
2005519681.tif 000009
【図７】
2005519681.tif 000010
【図８】
2005519681.tif 000011
【図９】
2005519681.tif 000012
【図１０】
2005519681.tif 000013
【図１１】
2005519681.tif 000014
【図１２】
2005519681.tif 000015
【図１３】
2005519681.tif 000016
【図１４】
2005519681.tif 000017
【図１５】
2005519681.tif 000018
【図１６】
2005519681.tif 000019
【図１７】
2005519681.tif 000020
【図１８】
2005519681.tif 000021
【図１９】
2005519681.tif 000022
【国際調査報告】
2005519681.tif 000023
2005519681.tif 000024
2005519681.tif 000025
2005519681.tif 000026
2005519681.tif 000027